(57)【要約】【課題】携帯電話端末２０を所有者が操作することなしに携帯電話端末２０の所有者の電子カルテを参照することができる診療システム１０を提供する。【解決手段】本発明の携帯電話端末２０は、電子カルテに関する情報を格納する記憶部２０５と、外部の機器と通信する近距離無線通信部２０９と、近距離無線通信部２０９を介して外部の機器から予め定められたサービスＩＤを受信した場合に、記憶部２０５に格納されている電子カルテに関する情報を、近距離無線通信部２０９を介して外部の機器へ送信する情報提供部２０６とを備える。【選択図】図２
2011186580.tif 000002
【特許請求の範囲】
【請求項１】
電子カルテに関する情報を格納する記憶手段と、
外部の機器と通信する通信手段と、
前記通信手段を介して外部の機器から予め定められたサービスＩＤを受信した場合に、前記記憶手段に格納されている電子カルテに関する情報を、前記通信手段を介して前記外部の機器へ送信する情報提供手段と
を備えることを特徴とする携帯機器。
【請求項２】
請求項１に記載の携帯機器であって、
前記通信手段を介して外部の機器との間で予め定められた認証処理を実行する認証手段をさらに備え、
前記情報提供手段は、
前記通信手段を介して外部の機器から予め定められたサービスＩＤを受信した場合に、前記認証手段に当該外部の機器との間で予め定められた認証処理を実行させ、当該認証処理の結果、認証に成功した場合に、前記記憶手段に格納されている電子カルテに関する情報を、前記通信手段を介して前記外部の機器へ送信することを特徴とする携帯機器。
【請求項３】
請求項２に記載の携帯機器であって、
前記認証手段によって外部の機器との間で実行された認証処理の結果、認証に成功した後に、当該外部機器から電子カルテに関する情報を受信した場合に、前記記憶手段内に電子カルテに関する情報が存在しなければ、受信した電子カルテに関する情報を前記記憶手段に格納し、前記記憶手段内に電子カルテに関する情報が既に格納されていれば、受信した情報で前記記憶手段内の電子カルテに関する情報を更新する情報更新手段をさらに備えることを特徴とする携帯機器。
【請求項４】
請求項３に記載の携帯機器であって、
前記記憶手段には、保険証に関する情報がさらに格納され、
前記情報提供手段は、
前記認証手段によって外部の機器との間で実行された認証処理の結果、認証に成功した場合に、前記記憶手段に格納されている保険証に関する情報を、前記通信手段を介して前記外部の機器へさらに送信することを特徴とする携帯機器。
【請求項５】
請求項４に記載の携帯機器であって、
前記情報更新手段は、
前記認証手段によって外部の機器との間で実行された認証処理の結果、認証に成功した後に、当該外部機器から保険証に関する情報を受信した場合に、前記記憶手段内に保険証に関する情報が存在しなければ、受信した保険証に関する情報を前記記憶手段に格納し、前記記憶手段内に保険証に関する情報が既に格納されており、かつ、受信した保険証に関する情報と前記記憶手段内に既に格納されている保険証に関する情報とが異なれば、受信した保険証に関する情報で前記記憶手段内に既に格納されている保険証に関する情報を更新することを特徴とする携帯機器。
【請求項６】
請求項１から５のいずれか一項に記載の携帯機器であって、
前記電子カルテに関する情報は、
対応する電子カルテを取得するためにアクセスすべきネットワーク上のアクセス先を示す情報であることを特徴とする携帯機器。
【請求項７】
請求項１から６のいずれか一項に記載の携帯機器であって、
当該携帯機器が携帯電話端末であることを特徴とする携帯機器。
【請求項８】
請求項１から７のいずれか一項に記載の携帯機器であって、
前記通信手段は、
近距離無線通信方式により、外部の機器と通信することを特徴とする携帯機器。
【請求項９】
請求項８に記載の携帯機器であって、
前記近距離無線通信方式とは、ＲＦＩＤ（Radio Frequency Identification）システムで用いられる無線通信方式であることを特徴とする携帯機器。
【請求項１０】
携帯機器と、
リーダライタと、
前記リーダライタを制御する制御装置と、
電子カルテを作成する医療端末と
を備え、
前記携帯機器は、
電子カルテに関する情報を格納する記憶手段と、
前記リーダライタとの間で、ＲＦＩＤシステムにおいて用いられる無線通信方式により通信を行う機器側通信手段と、
前記通信手段を介して前記リーダライタとの間で予め定められた認証処理を実行する機器側認証手段と、
前記通信手段を介して前記リーダライタから予め定められたサービスＩＤを受信した場合に、前記機器側認証手段に当該リーダライタとの間で予め定められた認証処理を実行させ、当該認証処理の結果、認証に成功した場合に、前記記憶手段に格納されている電子カルテに関する情報を、前記通信手段を介して前記リーダライタへ送信する情報提供手段と、
前記機器側認証手段によって前記リーダライタとの間で実行された認証処理の結果、認証に成功した後に、当該リーダライタから電子カルテに関する情報を受信した場合に、前記記憶手段内に電子カルテに関する情報が存在しなければ、受信した電子カルテに関する情報を前記記憶手段に格納し、前記記憶手段内に電子カルテに関する情報が既に格納されていれば、受信した情報で前記記憶手段内の電子カルテに関する情報を更新する情報更新手段と
を有し、
前記リーダライタは、
前記携帯機器との間で、ＲＦＩＤシステムにおいて用いられる無線通信方式により通信を行うリーダライタ側通信手段と、
所定のタイミングで予め定められたサービスＩＤを前記リーダライタ側通信手段に送信させるサービスＩＤ送信指示手段と、
前記リーダライタ側通信手段を介して前記携帯機器との間で予め定められた認証処理を実行するリーダライタ側認証手段と、
前記リーダライタ側認証手段によって前記携帯機器との間で実行された認証処理の結果、認証に成功した後に、前記携帯機器と前記制御装置との通信を中継する中継手段と
を有し、
前記制御装置は、
前記リーダライタを介して前記携帯機器から電子カルテに関する情報を受信し、受信した電子カルテに関する情報に対応する電子カルテを前記医療端末へ送信する電子カルテ中継手段と、
前記医療端末から電子カルテを受信した場合に、受信した電子カルテに関する情報を前記携帯機器へ送信する電子カルテ情報送信手段と
を有し、
前記医療端末は、
前記制御装置から受信した電子カルテを表示する電子カルテ表示手段と、
ユーザの入力に応じて電子カルテに情報を追加する電子カルテ編集手段と、
情報が追加された電子カルテを前記制御装置へ送信する電子カルテ送信手段と
を有することを特徴とする医療システム。
【請求項１１】
請求項１０に記載の医療システムであって、
電子カルテを格納するデータベースサーバをさらに備え、
前記電子カルテに関する情報は、
対応する電子カルテを取得するためにアクセスすべきネットワーク上のアクセス先を示す情報であり、
前記制御装置の電子カルテ中継手段は、
前記リーダライタを介して前記携帯機器から電子カルテに関する情報を受信した場合に、受信した電子カルテに関する情報で示されるネットワーク上のアクセス先の前記データベースサーバから対応する電子カルテを取得し、取得した電子カルテを前記医療端末へ送信し、
前記制御装置の電子カルテ情報送信手段は、
前記医療端末から電子カルテを受信した場合に、受信した電子カルテを前記データベースサーバに格納すると共に、当該電子カルテを取得するためにアクセスすべきネットワーク上のアクセス先を示す情報を、電子カルテに関する情報として前記リーダライタを介して前記携帯機器へ送信することを特徴とする医療システム。
【発明の詳細な説明】
【技術分野】
【０００１】
本発明は、携帯機器を利用して電子カルテを参照するシステムに関する。
【背景技術】
【０００２】
下記の特許文献１には、携帯電話内に患者の電子カルテを格納し、格納された電子カルテを必要に応じて参照することにより、異なる医療機関での治療を継続することができるようにする技術が開示されている。
【先行技術文献】
【特許文献】
【０００３】
【特許文献１】特開２００８−１５８２０号公報
【発明の概要】
【発明が解決しようとする課題】
【０００４】
ところで、携帯電話などの機能の多い電子機器では、操作頻度の少ない機能についてはユーザがその操作を忘れてしまうことが多い。特に、機械操作に慣れていないお年寄り等には、その傾向が顕著である。また、救急搬送時など、本人が重篤の場合には、本人が携帯電話を操作できず、その人の携帯電話からその人の電子カルテの情報を参照することができない場合がある。
【０００５】
本発明は上記事情を鑑みてなされたものであり、本発明の目的は、携帯機器を所有者が操作することなしに携帯機器の所有者の電子カルテを参照できるようにすることにある。
【課題を解決するための手段】
【０００６】
例えば、本発明は、電子カルテに関する情報を格納する記憶手段と、
外部の機器と通信する通信手段と、
前記通信手段を介して外部の機器から予め定められたサービスＩＤを受信した場合に、前記記憶手段に格納されている電子カルテに関する情報を、前記通信手段を介して前記外部の機器へ送信する情報提供手段と
を備えることを特徴とする携帯機器を提供する。
【発明の効果】
【０００７】
本発明によれば、携帯機器をユーザが操作することなしに携帯機器の所有者の電子カルテを参照することができる。
【図面の簡単な説明】
【０００８】
【図１】本発明の一実施形態に係る診療システム１０の構成を示すシステム構成図である。
【図２】携帯電話端末２０の機能構成の一例を示すブロック図である。
【図３】記憶部２０５に格納されるデータの構造の一例を示す図である。
【図４】リーダライタ３０の機能構成の一例を示すブロック図である。
【図５】制御装置４０の機能構成の一例を示すブロック図である。
【図６】記憶部４３に格納されるデータの構造の一例を示す図である。
【図７】表示画面作成部４２によって作成された受付画像６０の一例を示す概念図である。
【図８】診療端末５０の機能構成の一例を示すブロック図である。
【図９】携帯電話端末２０の動作の一例を示すフローチャートである。
【図１０】リーダライタ３０の動作の一例を示すフローチャートである。
【図１１】制御装置４０の動作の一例を示すフローチャートである。
【図１２】初診処理（Ｓ４００）の一例を示すフローチャートである。
【図１３】再診処理（Ｓ５００）の一例を示すフローチャートである。
【図１４】転院処理（Ｓ６００）の一例を示すフローチャートである。
【図１５】患者が初診の場合の診療システム１０の処理の流れの一例を示すシーケンス図である。
【図１６】患者が再診する場合の診療システム１０の処理の流れの一例を示すシーケンス図である。
【図１７】患者が転院する場合の診療システム１０の処理の流れの一例を示すシーケンス図である。
【発明を実施するための形態】
【０００９】
以下、本発明の実施の形態について図面を参照しながら説明する。
【００１０】
図１は、本発明の一実施形態に係る診療システム１０の構成を示すシステム構成図である。診療システム１０は、電子カルテを格納するＤＢサーバ１６、それぞれの患者が有する携帯電話端末２０、ならびに、それぞれの医療機関毎に設けられたリーダライタ３０、制御装置４０、および診療端末５０を備える。
【００１１】
携帯電話端末２０は、携帯電話システムにおいて用いられる無線通信方式により、最寄りの基地局１４との間で無線通信を行い、ユーザの指示に応じて、電子カルテの情報等を管理するためのプログラムを携帯電話網１３を介してプログラム配信サーバ１１から取得して自携帯電話端末２０にインストールする。
【００１２】
また、携帯電話端末２０は、ＲＦＩＤシステムにおいて用いられる無線通信方式により、リーダライタ３０との間で通信を行い、リーダライタ３０を介して電子カルテに関する情報等を制御装置４０から取得して保持する。また、携帯電話端末２０は、リーダライタ３０を介して制御装置４０から要求された場合に、電子カルテに関する情報等をリーダライタ３０を介して制御装置４０に提供する。電子カルテに関する情報には、例えば、電子カルテを取得するためにアクセスすべきネットワーク上のアクセス先を示す情報が含まれる。
【００１３】
制御装置４０は、診療端末５０から受け取った電子カルテを、インターネット１５を介してＤＢサーバ１６に登録し、当該電子カルテを取得するためにアクセスすべきアクセス先を示す情報を電子カルテに関する情報としてリーダライタ３０を介して携帯電話端末２０へ送信する。
【００１４】
また、制御装置４０は、リーダライタ３０を介して携帯電話端末２０から電子カルテに関する情報を受け取った場合に、当該電子カルテに関する情報に基づいてインターネット１５を介してＤＢサーバ１６へアクセスし、対応する電子カルテを取得する。そして、制御装置４０は、取得した電子カルテを診療端末５０に提供する。
【００１５】
診療端末５０は、制御装置４０から受け取った電子カルテを表示し、それまでの患者の治療の経緯を医師１７に通知する。医師１７は、表示された電子カルテに、今回の診察の内容を追記する。診療端末５０は、今回の診察の内容が追記された電子カルテを再び制御装置４０へ送る。
【００１６】
このように、携帯電話端末２０を介して取得した前回までの電子カルテの情報を参照することができるので、医師１７は、今回の診察を、より効率的に行うことができる。
【００１７】
図２は、携帯電話端末２０の機能構成の一例を示すブロック図である。携帯電話端末２０は、アンテナ２００、無線通信部２０１、プログラム取得部２０２、プログラムインストール部２０３、失効確認部２０４、記憶部２０５、情報提供部２０６、認証部２０７、情報更新部２０８、近距離無線通信部２０９、およびアンテナ２１０を有する。
【００１８】
無線通信部２０１は、アンテナ２００を介して、携帯電話システムにおいて用いられる無線通信方式により、最寄りの基地局１４との間で無線通信を行う。プログラム取得部２０２は、ユーザの指示に応じて、電子カルテに関する情報等を管理するためのプログラムを無線通信部２０１を介して外部のプログラム配信サーバ１１から取得する。
【００１９】
プログラムインストール部２０３は、プログラム取得部２０２によって取得されたプログラムを携帯電話端末２０内にインストールする。プログラム配信サーバ１１から取得したプログラムがインストールされることにより、図２の点線で囲まれた機能ブロック（失効確認部２０４、記憶部２０５、情報提供部２０６、認証部２０７、情報更新部２０８、および近距離無線通信部２０９）が実行可能となる。
【００２０】
記憶部２０５には、例えば図３に示すように、データの種別２０５０を示す情報に対応付けて、それぞれのデータのデータ本体２０５１が格納される。端末識別情報とは、例えば、それぞれの携帯電話端末２０を一意に識別するためにそれぞれの携帯電話端末２０に予め設定されている情報である。プログラム配信サーバ１１から取得したプログラムがインストールされた段階では、記憶部２０５内には端末識別情報が登録される。
【００２１】
なお、電子カルテ情報とは、電子カルテに関する情報であり、例えば、電子カルテを取得するためにアクセスすべきアクセス先を示す情報および当該情報が作成された日時等の情報である。また、保険証情報とは、例えば、保険証の記号番号および被保険者の氏名等の情報である。また、診察券情報とは、それぞれの医療機関毎に作成された情報であり、当該医療機関が患者に割り当てた患者ＩＤ等の情報である。
【００２２】
近距離無線通信部２０９は、アンテナ２１０を介して、ＲＦＩＤシステムにおいて用いられる無線通信方式によりリーダライタ３０との間で通信を行う。認証部２０７は、近距離無線通信部２０９を介してリーダライタ３０との間で予め定められた認証手順に従って認証処理を実行する。そして、認証部２０７は、リーダライタ３０との間の認証処理の結果を情報提供部２０６および情報更新部２０８に通知する。
【００２３】
情報提供部２０６は、近距離無線通信部２０９を介してリーダライタ３０から予め定められたサービスＩＤを受信した場合に、認証部２０７に指示してリーダライタ３０との間で認証処理を実行させ、認証に成功した場合に、記憶部２０５に格納されているデータを近距離無線通信部２０９を介してリーダライタ３０へ送信する。
【００２４】
なお、サービスＩＤとは、例えば、無線通信により、定期券情報やクレジットカード情報をやり取りする他のサービスと、本実施形態における診療システム１０によって提供される電子カルテの参照サービスとを区別するために、それぞれのサービスに割り当てられる識別情報である。
【００２５】
情報更新部２０８は、認証部２０７によってリーダライタ３０との間の認証が成功した後に、当該リーダライタ３０から書き込み対象のデータと共に書込要求を受信した場合に、受信した書込対象のデータを記憶部２０５に格納する。
【００２６】
失効確認部２０４は、記憶部２０５内に保険証情報が格納されている場合に、当該保険証情報の有効性を、所定のタイミングで無線通信部２０１を介して外部の保険証情報管理サーバ１２に問い合わせる。そして、当該保険証情報が有効である旨の回答を保険証情報管理サーバ１２から得られなかった場合、失効確認部２０４は、当該保険証情報を記憶部２０５から削除する。
【００２７】
失効確認部２０４は、例えば、月末や月初毎に保険証情報の有効性を確認する。これにより、記憶部２０５内に保険証情報が格納されている場合、当該保険証情報は有効な情報であることが保証される。
【００２８】
図４は、リーダライタ３０の機能構成の一例を示すブロック図である。リーダライタ３０は、アンテナ３１、サービスＩＤ送信指示部３２、近距離無線通信部３３、認証部３４、および中継部３５を有する。
【００２９】
近距離無線通信部３３は、アンテナ３１を介して、ＲＦＩＤシステムにおいて用いられる無線通信方式により携帯電話端末２０との間で通信を行う。サービスＩＤ送信指示部３２は、所定のタイミング（例えば１秒毎）で予め定められたサービスＩＤを近距離無線通信部３３に送信させる。
【００３０】
認証部３４は、近距離無線通信部３３を介して携帯電話端末２０との間で予め定められた認証手順に従って認証処理を実行する。そして、携帯電話端末２０との認証に成功した場合、認証部３４は、認証に成功した旨を中継部３５および制御装置４０に通知する。
【００３１】
中継部３５は、認証部３４によって携帯電話端末２０との間の認証が成功した後に、携帯電話端末２０と制御装置４０との通信を中継する。また、中継部３５は、制御装置４０から中継終了の指示を受信した場合に、携帯電話端末２０と制御装置４０との通信の中継を終了する。
【００３２】
図５は、制御装置４０の機能構成の一例を示すブロック図である。制御装置４０は、診察終了判定部４１、表示画面作成部４２、記憶部４３、登録部４４、電子カルテ中継部４５、および電子カルテ情報送信部４６を有する。
【００３３】
記憶部４３には、例えば図６に示すように、複数のレコード４３４が格納される。それぞれのレコード４３４には、診察券情報４３０、保険証情報４３１、電子カルテ情報４３２、および端末識別情報４３３が格納されるフィールドが設けられている。本実施形態において、記憶部４３内に端末識別情報４３３が登録されているということは、対応する携帯電話端末２０のユーザが、診察の受付を済ませており、かつ、対応する携帯電話端末２０に、今回の診察内容が記載された電子カルテの情報がまだ登録されていない状態であることを示す。
【００３４】
診察終了判定部４１は、リーダライタ３０から認証成功を通知された場合に、リーダライタ３０を介して携帯電話端末２０にデータ要求を送信し、携帯電話端末２０から端末識別情報等の情報を取得する。そして、診察終了判定部４１は、取得した端末識別情報が記憶部４３内に既に格納されているか否かを判定する。
【００３５】
取得した端末識別情報が記憶部４３内に既に格納されている場合、即ち、対応する携帯電話端末２０のユーザが、診察の受付を済ませており、かつ、対応する携帯電話端末２０に、今回の診察内容が記載された電子カルテの情報がまだ登録されていない状態である場合、診察終了判定部４１は、取得した端末識別情報に対応付けられている電子カルテ情報を記憶部４３から取得する。そして、診察終了判定部４１は、取得した電子カルテ情報と共に、書込要求をリーダライタ３０を介して携帯電話端末２０へ送信し、リーダライタ３０に中継終了を指示する。
【００３６】
一方、取得した端末識別情報が記憶部４３内にまだ格納されていない場合、即ち、対応する携帯電話端末２０のユーザが、診察の受付をまだ済ませていない場合、診察終了判定部４１は、携帯電話端末２０から取得した情報を表示画面作成部４２へ送る。
【００３７】
表示画面作成部４２は、携帯電話端末２０から取得した情報を診察終了判定部４１から受け取った場合に、携帯電話端末２０から取得した情報の中に、診察券情報、保険証情報、および電子カルテ情報の全てが含まれていれば、取得した診察券情報、保険証情報、および電子カルテ情報を４４へ送る。なお、診察券情報が他の医療機関の診察券情報である場合、表示画面作成部４２は、診察券情報が含まれていないと判定する。
【００３８】
また、携帯電話端末２０から取得した情報を診察終了判定部４１から受け取った場合に、携帯電話端末２０から取得した情報の中に、診察券情報、保険証情報、および電子カルテ情報の少なくともいずれかが含まれていなければ、表示画面作成部４２は、当該情報の中に電子カルテ情報が含まれているか否かを判定する。
【００３９】
携帯電話端末２０から取得した情報の中に電子カルテ情報が含まれていない場合、即ち、携帯電話端末２０のユーザがどの医療機関でも診察を受けたことが無い全くの初診か、または、ユーザが前回の診察時とは異なる携帯電話端末２０を使っている場合（例えば携帯電話端末２０を買い換えた場合）、表示画面作成部４２は、例えば図７に示すような受付画像６０を作成して液晶モニタ等の表示装置に表示させると共に、受付画像６０に表示させた内容を示す情報を登録部４４へ送る。
【００４０】
なお、本実施形態では、診察を受けた場合には、診察券情報および保険証情報と共に、電子カルテの情報が携帯電話端末２０内に登録されるため、携帯電話端末２０内にいずれかの医療機関の診察券情報が格納されているにもかかわらず電子カルテ情報が格納されていないという状態は存在しない。ただし、携帯電話端末２０内の保険証情報については、携帯電話端末２０内の失効確認部２０４によって削除されることがあり得る。
【００４１】
表示画面作成部４２によって作成される受付画像６０には、診察券情報を入力および表示するための領域６１、保険証情報を入力および表示するための領域６２、緊急ボタン６３、ならびに通常診察ボタン６４が含まれる。医療機関の受付担当者は、患者が緊急を要する状態にある場合に、マウスやキーボード等の入力装置を介して緊急ボタン６３を押下する。
【００４２】
一方、患者がそれほど緊急を要する状態にない場合、医療機関の受付担当者は、患者に保険証の提示を求め、患者から提示された保険証の情報に基づいて患者ＩＤを作成し、患者ＩＤや患者の氏名を受付画像６０内の領域６１に、保険証の情報を受付画像６０内の領域６２に、それぞれ入力した上で通常診察ボタン６４を押下する。
【００４３】
携帯電話端末２０から取得した情報の中に電子カルテ情報が含まれている場合、即ち、携帯電話端末２０のユーザが当医療機関も含めていずれかの医療機関で診察を受けたことがある場合、表示画面作成部４２は、携帯電話端末２０から取得した情報の中に当医療機関の診察券情報が含まれているか否かを判定する。
【００４４】
携帯電話端末２０から取得した情報の中に当医療機関の診察券情報が含まれておらず、かつ、保険証情報も含まれていない場合、即ち、過去に当医療機関で診察を受けたことがなく、かつ、保険証が失効した経験を持つ患者である場合（保険証情報が失効している場合には失効確認部２０４が携帯電話端末２０の記憶部２０５から保険証情報を削除する。本実施形態において、保険証情報は、携帯電話端末２０単独では保険証情報を登録できない）、表示画面作成部４２は、領域６１および領域６２が空欄の受付画像６０を表示装置に表示させると共に、受付画像６０に表示させた内容を示す情報を登録部４４へ送る。
【００４５】
一方、携帯電話端末２０から取得した情報の中に当医療機関の診察券情報が含まれていないが、保険証情報が含まれている場合、即ち、過去に当医療機関で診察を受けたことがあり、かつ、有効な保険証情報を有する患者である場合、表示画面作成部４２は、領域６１に保険証情報を記載した形の受付画像６０を表示装置に表示させると共に、受付画像６０に表示させた内容を示す情報を登録部４４へ送る。
【００４６】
携帯電話端末２０から取得した情報の中に当医療機関の診察券情報が含まれているが、保険証情報が含まれていない場合、即ち、過去に当医療機関で診察を受けたことがあるが、保険証が失効した経験を持つ患者である場合、表示画面作成部４２は、領域６１に診察券情報を記載した形の受付画像６０を表示装置に表示させると共に、受付画像６０に表示させた内容を示す情報を登録部４４へ送る。
【００４７】
なお、携帯電話端末２０から取得した情報の中に当医療機関の診察券情報および保険証情報が含まれている場合、即ち、携帯電話端末２０から取得した情報の中に、診察券情報、保険証情報、および電子カルテ情報の全てが含まれている場合については、先に説明した通りである。
【００４８】
登録部４４は、表示画面作成部４２から診察券情報、保険証情報、および電子カルテ情報を受け取った場合に、記憶部４３を参照して、受け取った診察券情報を含むレコードを特定する。そして、登録部４４は、表示画面作成部４２から受け取った電子カルテ情報に含まれている作成日時と、特定したレコードに格納されている電子カルテ情報に含まれている作成日時とを比較し、新しい方の電子カルテ情報を特定したレコードに格納する。
【００４９】
これにより、当院で診察を受けた後に他の医療機関で診察を受けることにより、電子カルテが更新された場合であっても、最新の電子カルテを参照して今回の診察を行うことができる。
【００５０】
そして、登録部４４は、特定したレコードに格納されている診察券情報に含まれている患者ＩＤを取得すると共に、特定したレコードに含まれている電子カルテ情報を取得する。そして、登録部４４は、取得した患者ＩＤおよび電子カルテ情報を電子カルテ中継部４５へ送ると共に、リーダライタ３０に中継終了を指示する。
【００５１】
登録部４４は、受付担当者によって入力装置を介して表示装置に表示された受付画像６０の緊急ボタン６３が押下された場合に、電子カルテ中継部４５に電子カルテの雛形の送信を指示すると共に、リーダライタ３０に中継終了を指示する。一方、通常診察ボタン６４が押下された場合、登録部４４は、領域６２に記載された保険証情報に基づいて記憶部４３を参照し、同一の保険証情報を格納するレコードが既に存在するか否かを判定する。
【００５２】
同一の保険証情報を格納するレコードが記憶部４３内に存在しない場合、即ち、当医療機関で過去に診察を受けたことがない患者である場合、登録部４４は、記憶部４３内にレコードを新たに作成し、作成したレコードに、表示画面作成部４２から通知された端末識別情報と共に、受付画像６０に表示された診察券情報および保険証情報を格納する。登録部４４は、表示画面作成部４２から電子カルテ情報を受け取っていた場合には、当該電子カルテ情報も新たに作成したレコードに格納する。
【００５３】
そして、新たに作成したレコード内に電子カルテ情報が格納された場合、登録部４４は、当該電子カルテ情報と共に、当該レコードに格納されている診察券情報に含まれる患者ＩＤを電子カルテ中継部４５へ送る。そして、登録部４４は、リーダライタ３０に中継終了を指示する。
【００５４】
新たに作成したレコード内に電子カルテ情報が格納されていない場合、登録部４４は、電子カルテ中継部４５に、当該レコードに格納されている診察券情報に含まれる患者ＩＤを送ると共に、電子カルテの雛形の送信を指示し、リーダライタ３０に中継終了を指示する。
【００５５】
また、受付画像６０の領域６２に記載された保険証情報と同一の保険証情報を格納するレコードが記憶部４３内に既に存在する場合、即ち、当医療機関で過去に診察を受けたことがある患者である場合、登録部４４は、該当するレコードに格納されている診察券情報に含まれている患者ＩＤを取得すると共に、該当するレコードに含まれている電子カルテ情報を取得する。そして、登録部４４は、取得した患者ＩＤおよび電子カルテ情報を電子カルテ中継部４５へ送ると共に、リーダライタ３０に中継終了を指示する。
【００５６】
電子カルテ中継部４５は、登録部４４から患者ＩＤと共に電子カルテの雛形の送信を指示された場合に、当該患者ＩＤと共に、電子カルテの雛形を診療端末５０へ送信する。また、登録部４４から患者ＩＤおよび電子カルテ情報を受信した場合、電子カルテ中継部４５は、当該電子カルテ情報に基づいてインターネット１５を介してＤＢサーバ１６にアクセスして電子カルテを取得し、取得した電子カルテを、患者ＩＤと共に診療端末５０へ送信する。
【００５７】
電子カルテ情報送信部４６は、診療端末５０から患者ＩＤと共に電子カルテを受信した場合に、インターネット１５を介してＤＢサーバ１６にアクセスして受信した電子カルテを登録する。そして、電子カルテ情報送信部４６は、当該電子カルテを取得するためにアクセスすべきサクセス先を示す情報を電子カルテ情報として、当該患者ＩＤを含む診察券情報を格納する記憶部４３内のレコードに格納する。
【００５８】
図８は、診療端末５０の機能構成の一例を示すブロック図である。診療端末５０は、電子カルテ表示部５１、電子カルテ編集部５２、および電子カルテ送信部５３を有する。
【００５９】
電子カルテ表示部５１は、制御装置４０から患者ＩＤと共に電子カルテまたは電子カルテの雛形を受け取り、受け取った電子カルテまたは電子カルテの雛形を液晶モニタ等の表示装置に表示させる。また、電子カルテ表示部５１は、データが追加された電子カルテを電子カルテ編集部５２から受け取った場合に、受け取った電子カルテを表示装置に表示させる。
【００６０】
電子カルテ編集部５２は、医師１７による診察の過程で、キーボード等の入力装置を介して、電子カルテへのデータの入力を受け付け、受け付けた入力に基づいて電子カルテにデータを追加し、データが追加された電子カルテを電子カルテ表示部５１へ送る。電子カルテ送信部５３は、入力装置を介して医師１７から診察の終了を指示された場合に、データが追加された電子カルテを患者ＩＤと共に電子カルテ表示部５１から取得して制御装置４０へ送る。
【００６１】
図９は、携帯電話端末２０の動作の一例を示すフローチャートである。例えば電源が投入される等の所定のタイミングで、携帯電話端末２０は本フローチャートに示す動作を開始する。
【００６２】
まず、プログラム取得部２０２は、電子カルテの情報等を管理するためのプログラムが既に携帯電話端末２０にインストールされているか否かを判定する（Ｓ１００）。当該プログラムがまだ携帯電話端末２０にインストールされていない場合（Ｓ１００：Ｎｏ）、プログラム取得部２０２は、ユーザから当該プログラムのインストールを指示されたか否かを判定する（Ｓ１０１）。当該プログラムのインストールをユーザから指示されていない場合（Ｓ１０１：Ｎｏ）、プログラム取得部２０２は再びステップＳ１００に示した処理を実行する。
【００６３】
当該プログラムのインストールをユーザから指示された場合（Ｓ１０１：Ｙｅｓ）、プログラム取得部２０２は、当該プログラムを無線通信部２０１を介して、携帯電話システムにおいて用いられる無線通信方式を用いて外部のプログラム配信サーバ１１から取得し（Ｓ１０２）、取得したプログラムをプログラムインストール部２０３へ送る。プログラムインストール部２０３は、プログラム取得部２０２から受け取ったプログラムを自携帯電話端末２０にインストールし（Ｓ１０３）、プログラム取得部２０２は再びステップＳ１００に示した処理を実行する。
【００６４】
電子カルテの情報等を管理するためのプログラムが既に携帯電話端末２０にインストールされている場合（Ｓ１００：Ｙｅｓ）、情報提供部２０６は、近距離無線通信部２０９を介して予め定められたサービスＩＤを受信したか否かを判定する（Ｓ１０４）。予め定められたサービスＩＤを受信した場合（Ｓ１０４：Ｙｅｓ）、情報提供部２０６は、認証部２０７に認証処理を指示する。
【００６５】
認証部２０７は、近距離無線通信部２０９を介してリーダライタ３０との間で予め定められた認証手順に従って認証処理を実行し、認証処理の結果を情報提供部２０６および情報更新部２０８に通知する（Ｓ１０５）。そして、情報提供部２０６は、リーダライタ３０との認証に成功したか否かを判定する（Ｓ１０６）。リーダライタ３０との認証に失敗した場合（Ｓ１０６：Ｎｏ）、プログラム取得部２０２は再びステップＳ１００に示した処理を実行する。
【００６６】
リーダライタ３０との認証に成功した場合（Ｓ１０６：Ｙｅｓ）、情報提供部２０６は、近距離無線通信部２０９を介してリーダライタ３０からデータ要求を受信したか否かを判定する（Ｓ１０７）。データ要求を受信した場合（Ｓ１０７：Ｙｅｓ）、情報提供部２０６は、記憶部２０５内に格納されているデータを近距離無線通信部２０９を介してリーダライタ３０へ送信し（Ｓ１０８）、プログラム取得部２０２は再びステップＳ１００に示した処理を実行する。
【００６７】
一方、データ要求を受信していない場合（Ｓ１０７：Ｎｏ）、情報更新部２０８は、書込対象のデータと共に書込要求を受信したか否かを判定する（Ｓ１０９）。書込要求を受信していない場合（Ｓ１０９：Ｎｏ）、情報提供部２０６は、再びステップＳ１０７に示した処理を実行する。書込要求を受信した場合（Ｓ１０９：Ｙｅｓ）、情報更新部２０８は、書込要求と共に受信した書込対象のデータを、項目毎に記憶部２０５に格納し（Ｓ１１０）、情報提供部２０６は、再びステップＳ１０７に示した処理を実行する。
【００６８】
ステップＳ１０４において、予め定められたサービスＩＤを受信していない場合（Ｓ１０４：Ｎｏ）、失効確認部２０４は、記憶部２０５内に保険証情報が格納されているか否かを判定する（Ｓ１１１）。記憶部２０５内に保険証情報が格納されていない場合（Ｓ１１１：Ｎｏ）、プログラム取得部２０２は再びステップＳ１００に示した処理を実行する。
【００６９】
記憶部２０５内に保険証情報が格納されている場合（Ｓ１１１：Ｙｅｓ）、失効確認部２０４は、保険証情報の有効性を確認すべきタイミング（例えば月末や月初等）か否かを判定する（Ｓ１１２）。保険証情報の有効性を確認すべきタイミングではない場合（Ｓ１１２：Ｎｏ）、プログラム取得部２０２は再びステップＳ１００に示した処理を実行する。
【００７０】
保険証情報の有効性を確認すべきタイミングである場合（Ｓ１１２：Ｙｅｓ）、失効確認部２０４は、無線通信部２０１を介して外部の保険証情報管理サーバ１２に保険証情報を送信してその有効性を問い合わせる（Ｓ１１３）。当該保険証情報が有効である旨の回答が保険証情報管理サーバ１２から返信された場合（Ｓ１１４：Ｙｅｓ）、プログラム取得部２０２は再びステップＳ１００に示した処理を実行する。
【００７１】
一方、当該保険証情報が有効である旨の回答が保険証情報管理サーバ１２から返信されなかった場合（Ｓ１１４：Ｎｏ）、失効確認部２０４は、当該保険証情報を記憶部２０５から削除し（Ｓ１１５）、プログラム取得部２０２は再びステップＳ１００に示した処理を実行する。
【００７２】
図１０は、リーダライタ３０の動作の一例を示すフローチャートである。例えば電源が投入される等の所定のタイミングで、リーダライタ３０は本フローチャートに示す動作を開始する。
【００７３】
まず、サービスＩＤ送信指示部３２は、予め定められたサービスＩＤの送信タイミングか否かを判定する（Ｓ２００）。サービスＩＤの送信タイミングではない場合（Ｓ２００：Ｎｏ）、サービスＩＤ送信指示部３２は再びステップＳ２００に示した処理を実行する。一方、サービスＩＤの送信タイミングである場合（Ｓ２００：Ｙｅｓ）、サービスＩＤ送信指示部３２は、サービスＩＤの送信を近距離無線通信部３３に指示する。近距離無線通信部３３は、アンテナ３１を介してサービスＩＤを送信する（Ｓ２０１）。
【００７４】
次に、認証部３４は、近距離無線通信部３３を介して携帯電話端末２０から認証要求を受信したか否かを判定する（Ｓ２０２）。認証要求を受信していない場合（Ｓ２０２：Ｎｏ）、サービスＩＤ送信指示部３２は再びステップＳ２００に示した処理を実行する。一方、認証要求を受信した場合（Ｓ２０２：Ｙｅｓ）、認証部３４は、近距離無線通信部３３を介して携帯電話端末２０との間で予め定められた認証手順に従って認証処理を実行する（Ｓ２０３）。携帯電話端末２０との認証に失敗した場合（Ｓ２０４：Ｎｏ）、サービスＩＤ送信指示部３２は再びステップＳ２００に示した処理を実行する。
【００７５】
携帯電話端末２０との認証に成功した場合（Ｓ２０４：Ｙｅｓ）、認証部３４は、認証に成功した旨を中継部３５および制御装置４０に通知する（Ｓ２０５）。そして、中継部３５は、携帯電話端末２０と制御装置４０との通信の中継を開始する（Ｓ２０６）。中継部３５が制御装置４０から中継終了の指示を受信した場合（Ｓ２０７：Ｙｅｓ）、中継部３５は、携帯電話端末２０と制御装置４０との通信の中継を終了し、サービスＩＤ送信指示部３２は再びステップＳ２００に示した処理を実行する。
【００７６】
図１１は、制御装置４０の動作の一例を示すフローチャートである。例えば電源が投入される等の所定のタイミングで、制御装置４０は本フローチャートに示す動作を開始する。
【００７７】
まず、診察終了判定部４１は、リーダライタ３０から認証成功が通知されたか否かを判定する（Ｓ３００）。リーダライタ３０から認証成功が通知されていない場合（Ｓ３００：Ｎｏ）、電子カルテ情報送信部４６は、診療端末５０から患者ＩＤと共に電子カルテを受信したか否かを判定する（Ｓ３０１）。診療端末５０から電子カルテを受信していない場合（Ｓ３０１：Ｎｏ）、診察終了判定部４１は再びステップＳ３００に示した処理を実行する。
【００７８】
診療端末５０から患者ＩＤと共に電子カルテを受信した場合（Ｓ３０１：Ｙｅｓ）、電子カルテ情報送信部４６は、インターネット１５を介してＤＢサーバ１６にアクセスして受信した電子カルテを登録し、当該電子カルテを取得するためにアクセスすべきアクセス先を示す情報を電子カルテ情報として作成する（Ｓ３０２）。そして、電子カルテ情報送信部４６は、作成した電子カルテ情報を、当該患者ＩＤを含む診察券情報を格納する記憶部４３内のレコードに格納し（Ｓ３０３）、診察終了判定部４１は再びステップＳ３００に示した処理を実行する。
【００７９】
ステップＳ３００において、リーダライタ３０から認証成功が通知された場合（Ｓ３００：Ｙｅｓ）、診察終了判定部４１は、リーダライタ３０を介して携帯電話端末２０にデータ要求を送信し（Ｓ３０４）、携帯電話端末２０から端末識別情報等の情報を取得する。そして、診察終了判定部４１は、取得した端末識別情報が記憶部４３内に既に格納されているか否かを判定する（Ｓ３０５）。
【００８０】
取得した端末識別情報が記憶部４３内に既に格納されている場合（Ｓ３０５：Ｙｅｓ）、即ち、対応する携帯電話端末２０のユーザが、診察の受付を済ませており、かつ、対応する携帯電話端末２０に、今回の診察内容が記載された電子カルテの情報がまだ登録されていない状態である場合、診察終了判定部４１は、取得した端末識別情報が格納されているレコードに含まれている電子カルテ情報を記憶部４３から取得する。そして、診察終了判定部４１は、取得した電子カルテ情報と共に、書込要求をリーダライタ３０を介して携帯電話端末２０へ送信する（Ｓ３０６）。
【００８１】
次に、診察終了判定部４１は、記憶部４３内の該当するレコードから端末識別情報を削除する（Ｓ３０７）。そして、診察終了判定部４１は、リーダライタ３０に中継終了を指示し（Ｓ３０８）、診察終了判定部４１は再びステップＳ３００に示した処理を実行する。
【００８２】
ステップＳ３０５において、携帯電話端末２０から取得した端末識別情報が記憶部４３内に格納されていない場合（Ｓ３０５：Ｎｏ）、即ち、対応する携帯電話端末２０のユーザが、診察の受付をまだ済ませていない場合、診察終了判定部４１は、携帯電話端末２０から取得した情報を表示画面作成部４２へ送る。
【００８３】
そして、表示画面作成部４２は、携帯電話端末２０から取得した情報を診察終了判定部４１から受け取り、受け取った情報の中に電子カルテ情報が含まれているか否かを判定する（Ｓ３０９）。電子カルテ情報が含まれていない場合（Ｓ３０９：Ｎｏ）、即ち、携帯電話端末２０のユーザがどの医療機関でも診察を受けたことが無い全くの初診か、または、ユーザが前回の診察時とは異なる携帯電話端末２０を使っている場合、携帯電話端末２０は後述する初診処理を実行し（Ｓ４００）、診察終了判定部４１は再びステップＳ３００に示した処理を実行する。
【００８４】
一方、携帯電話端末２０から取得した情報の中に電子カルテ情報が含まれている場合（Ｓ３０９：Ｙｅｓ）、即ち、携帯電話端末２０のユーザが当医療機関も含めていずれかの医療機関で診察を受けたことがある場合、表示画面作成部４２は、携帯電話端末２０から取得した情報の中に診察券情報が含まれているか否かを判定する（Ｓ３１０）。
【００８５】
携帯電話端末２０から取得した情報の中に診察券情報が含まれている場合（Ｓ３１０：Ｙｅｓ）、即ち、当院での診察を受けたことがある患者である場合、携帯電話端末２０は、後述する再診処理を実行し（Ｓ５００）、診察終了判定部４１は再びステップＳ３００に示した処理を実行する。
【００８６】
一方、携帯電話端末２０から取得した情報の中に診察券情報が含まれていない場合（Ｓ３１０：Ｎｏ）、即ち、当医療機関で過去に診察を受けたことがない患者である場合、携帯電話端末２０は、後述する転院処理を実行し（Ｓ６００）、診察終了判定部４１は再びステップＳ３００に示した処理を実行する。
【００８７】
図１２は、初診処理（Ｓ４００）の一例を示すフローチャートである。
【００８８】
まず、表示画面作成部４２は、例えば図７に示すような受付画像６０を作成して液晶モニタ等の表示装置に表示させると共に、携帯電話端末２０から取得した端末識別情報を登録部４４へ送る（Ｓ４０１）。なお、ステップＳ４０１において表示される受付画像６０内の領域６１および領域６２は空欄となる。そして、登録部４４は、緊急ボタン６３または通常診察ボタン６４が押下されたか否かを判定する（Ｓ４０２）。
【００８９】
押下されたボタンが緊急ボタン６３である場合（Ｓ４０３：Ｙｅｓ）、登録部４４はステップＳ４１２で後述する処理を実行する。一方、押下されたボタンが通常診察ボタン６４である場合（Ｓ４０３：Ｎｏ）、登録部４４は、受付画像６０内の領域６２に保険証情報が記載されているか否かを判定する（Ｓ４０４）。
【００９０】
領域６２内に保険証情報が記載されていない場合（Ｓ４０４：Ｎｏ）、即ち、保険証が失効中などの場合、登録部４４は、記憶部４３内にレコードを新たに作成し、作成したレコードに、表示画面作成部４２から通知された端末識別情報と共に、受付画像６０に表示された診察券情報を格納する（Ｓ４０５）。
【００９１】
そして、登録部４４は、新たに作成したレコードに格納されている診察券情報と共に、書込要求をリーダライタ３０を介して携帯電話端末２０へ送信し（Ｓ４０６）、登録部４４はステップＳ４１２で後述する処理を実行する。
【００９２】
ステップＳ４０４において、領域６２内に保険証情報が記載されている場合（Ｓ４０４：Ｙｅｓ）、即ち、患者が窓口で保険証を提示した場合、登録部４４は、記載された保険証情報が記憶部４３内に既に登録されているか否かを判定する（Ｓ４０７）。保険証情報が記憶部４３内に既に登録されている場合（Ｓ４０７：Ｙｅｓ）、登録部４４は、該当するレコードに、表示画面作成部４２から通知された端末識別情報を格納する（Ｓ４０８）。
【００９３】
なお、この場合、受付画像６０内の領域６１に新たに入力された診察券情報と、記憶部４３内に既に登録されていた診察券情報とで、情報（特に患者ＩＤ）が一部異なる場合には、登録部４４は、入力された保険証情報に対応する患者の診察券情報が既に登録されていることを、表示装置等を介して受付担当者に通知することが好ましい。
【００９４】
そして、登録部４４は、該当するレコードに格納されている診察券情報および保険証情報と共に、書込要求をリーダライタ３０を介して携帯電話端末２０へ送信し（Ｓ４０９）、登録部４４はステップＳ４１２で後述する処理を実行する。
【００９５】
ステップＳ４０７において、保険証情報が記憶部４３内にまだ登録されていない場合（Ｓ４０７：Ｎｏ）、登録部４４は、記憶部４３内に新たにレコードを作成し、作成したレコードに、表示画面作成部４２から通知された端末識別情報と共に、受付画像６０に表示された診察券情報および保険証情報を格納する（Ｓ４１０）。そして、登録部４４は、新たに作成したレコードに格納されている診察券情報および保険証情報と共に、書込要求をリーダライタ３０を介して携帯電話端末２０へ送信する（Ｓ４１１）。
【００９６】
次に、登録部４４は、リーダライタ３０に中継終了を指示する（Ｓ４１２）。そして、登録部４４は、今回新たに作成したレコードあるいは入力された保険証情報を含むレコード内の保険証情報に含まれる患者ＩＤと共に、電子カルテの雛形の送信を電子カルテ中継部４５に指示する。電子カルテ中継部４５は、登録部４４から受け取った患者ＩＤと共に、電子カルテの雛形を診療端末５０へ送信し（Ｓ４１３）、携帯電話端末２０は本フローチャートに示した初診処理（Ｓ４００）を終了する。
【００９７】
図１３は、再診処理（Ｓ５００）の一例を示すフローチャートである。
【００９８】
まず、表示画面作成部４２は、携帯電話端末２０から取得したデータの中に保険証情報が含まれているか否かを判定する（Ｓ５０１）。携帯電話端末２０から取得したデータの中に保険証情報が含まれている場合（Ｓ５０１：Ｙｅｓ）、即ち、携帯電話端末２０から取得したデータの中に電子カルテ情報、診察券情報、および保険証情報の全てが含まれている場合、表示画面作成部４２は、携帯電話端末２０から取得したデータを登録部４４へ送る。登録部４４は、ステップＳ５０８で後述する。
【００９９】
一方、携帯電話端末２０から取得したデータの中に保険証情報が含まれていない場合（Ｓ５０１：Ｎｏ）、表示画面作成部４２は、例えば、図７に示すような受付画像６０を作成して液晶モニタ等の表示装置に表示させると共に、携帯電話端末２０から取得した端末識別情報および診察券情報を登録部４４へ送る（Ｓ５０２）。なお、ステップＳ５０２において表示される受付画像６０内の領域６２は空欄となる。そして、登録部４４は、緊急ボタン６３または通常診察ボタン６４が押下されたか否かを判定する（Ｓ５０３）。
【０１００】
押下されたボタンが緊急ボタン６３である場合（Ｓ５０４：Ｙｅｓ）、登録部４４はステップＳ５０８で後述する処理を実行する。一方、押下されたボタンが通常診察ボタン６４である場合（Ｓ５０４：Ｎｏ）、登録部４４は、受付画像６０内の領域６２に保険証情報が記載されているか否かを判定する（Ｓ５０５）。
【０１０１】
領域６２内に保険証情報が記載されている場合（Ｓ５０５：Ｙｅｓ）、即ち、保険証が失効した経験がある患者である場合、登録部４４は、携帯電話端末２０から取得した診察券情報を格納するレコードを記憶部４３内で特定する。そして、登録部４４は、特定したレコードに保険証情報が登録されていれば、登録されている保険証情報を、領域６２内に記載されている保険証情報で更新し（Ｓ５０６）、ステップＳ５０８で後述する処理を実行する。
【０１０２】
領域６２内に保険証情報が記載されていない場合（Ｓ５０５：Ｎｏ）、即ち、保険証が失効中などの場合、登録部４４は、携帯電話端末２０から取得した診察券情報を格納するレコードを記憶部４３内で特定し、特定したレコードに保険証情報が登録されていれば、保険証情報を当該レコードから削除する（Ｓ５０７）。
【０１０３】
次に、登録部４４は、表示画面作成部４２から通知された端末識別情報を、特定したレコードに格納し（Ｓ５０８）、リーダライタ３０に中継終了を指示する（Ｓ５０９）。そして、登録部４４は、特定したレコードに格納されている診察券情報に含まれる患者ＩＤを抽出すると共に、特定したレコードに格納されている電子カルテ情報を抽出し、抽出した患者ＩＤおよび電子カルテ情報を電子カルテ中継部４５へ送る。
【０１０４】
電子カルテ中継部４５は、登録部４４から受け取った電子カルテ情報に基づいてインターネット１５を介してＤＢサーバ１６にアクセスし、対応する電子カルテを取得する（Ｓ５１０）。そして、電子カルテ中継部４５は、取得した電子カルテを、登録部４４から受け取った患者ＩＤと共に診療端末５０へ転送し（Ｓ５１１）、携帯電話端末２０は本フローチャートに示した再診処理（Ｓ５００）を終了する。
【０１０５】
図１４は、転院処理（Ｓ６００）の一例を示すフローチャートである。
【０１０６】
まず、表示画面作成部４２は、例えば図７に示すような受付画像６０を作成して液晶モニタ等の表示装置に表示させると共に、携帯電話端末２０から取得した端末識別情報および電子カルテ情報を（携帯電話端末２０から保険証情報を取得していればさらに保険証情報も）登録部４４へ送る（Ｓ６０１）。なお、ステップＳ６０１において表示される受付画像６０内の領域６１は空欄となり、携帯電話端末２０から保険証情報を取得していれば領域６２にはその情報が記載される。
【０１０７】
そして、登録部４４は、緊急ボタン６３または通常診察ボタン６４が押下されたか否かを判定する（Ｓ６０２）。押下されたボタンが緊急ボタン６３である場合（Ｓ６０３：Ｙｅｓ）、登録部４４はステップＳ６１１で後述する処理を実行する。一方、押下されたボタンが通常診察ボタン６４である場合（Ｓ６０３：Ｎｏ）、登録部４４は、表示画面作成部４２から保険証情報を受け取った（携帯電話端末２０内に保険証情報が格納されている）か否かを判定する（Ｓ６０４）。
【０１０８】
表示画面作成部４２から保険証情報を受け取った場合（Ｓ６０４：Ｙｅｓ）、即ち、有効な保険証情報が携帯電話端末２０内に格納されている場合、登録部４４は、記憶部４３内にレコードを新たに作成する。そして、登録部４４は、作成したレコードに、表示画面作成部４２から通知された端末識別情報および保険証情報と共に、受付画像６０内の領域６１に表示された診察券情報を格納し（Ｓ６０５）、ステップＳ６０８で後述する処理を実行する。
【０１０９】
表示画面作成部４２から保険証情報を受け取っていない場合（Ｓ６０４：Ｎｏ）、即ち、保険証が失効した経験を持つ患者である場合、登録部４４は、受付画像６０内の領域６２に保険証情報が記載されているか否かを判定する（Ｓ６０６）。領域６２内に保険証情報が記載されていない場合（Ｓ６０６：Ｎｏ）、即ち、保険証が失効中などの場合、登録部４４は、記憶部４３内にレコードを新たに作成する。
【０１１０】
そして、登録部４４は、作成したレコードに、表示画面作成部４２から通知された端末識別情報および保険証情報を格納する（Ｓ６０８）。そして、登録部４４は、当該診察券情報と共に書込要求をリーダライタ３０を介して携帯電話端末２０へ送信し（Ｓ６０８）、ステップＳ６１１で後述する処理を実行する。
【０１１１】
ステップＳ６０６において、領域６２内に保険証情報が記載されている場合（Ｓ６０６：Ｙｅｓ）、即ち、失効中であった保険証が再び有効になった場合、登録部４４は、記憶部４３内にレコードを新たに作成する。
【０１１２】
そして、登録部４４は、作成したレコードに、表示画面作成部４２から通知された端末識別情報と共に、受付画像６０の領域６１に表示された診察券情報および領域６２に表示された保険証情報を格納し（Ｓ６０９）、当該診察券情報および保険証情報と共に書込要求をリーダライタ３０を介して携帯電話端末２０へ送信する（Ｓ６１０）。
【０１１３】
次に、登録部４４は、リーダライタ３０に中継終了を指示する（Ｓ６１１）。そして、登録部４４は、新たに作成したレコードに格納されている診察券情報に含まれる患者ＩＤを抽出すると共に、特定したレコードに格納されている電子カルテ情報を抽出し、抽出した患者ＩＤおよび電子カルテ情報を電子カルテ中継部４５へ送る。
【０１１４】
電子カルテ中継部４５は、登録部４４から受け取った電子カルテ情報に基づいてインターネット１５を介してＤＢサーバ１６にアクセスし、対応する電子カルテを取得する（Ｓ６１２）。そして、電子カルテ中継部４５は、取得した電子カルテを、登録部４４から受け取った患者ＩＤと共に診療端末５０へ転送し（Ｓ６１３）、携帯電話端末２０は本フローチャートに示した転院処理（Ｓ６００）を終了する。
【０１１５】
図１５は、患者が初診の場合の診療システム１０の処理の流れの一例を示すシーケンス図である。
【０１１６】
まず、携帯電話端末２０は、リーダライタ３０の近くに置かれることによりリーダライタ３０から発信される電波を十分な強度で受信することが可能となり、リーダライタ３０からサービスＩＤを受信する（Ｓ７００）。そして、携帯電話端末２０は、リーダライタ３０との間で認証処理を実行し（Ｓ７０１）、認証に成功した場合に、リーダライタ３０は、認証成功を制御装置４０に通知し（Ｓ７０２）、携帯電話端末２０と制御装置４０との通信の中継を開始する。
【０１１７】
次に、制御装置４０は、リーダライタ３０を介して携帯電話端末２０へデータ要求を送信し、携帯電話端末２０は、記憶部２０５内のデータ（図１５に示す例の場合、端末識別情報のみ）を、リーダライタ３０を介して制御装置４０へ送信する（Ｓ７０４）。制御装置４０は、携帯電話端末２０の端末識別情報が記憶部４３内に登録されていないため、領域６１および領域６２が空欄の受付画像６０を表示装置に表示させ（Ｓ７０５）、データの入力を待つ。
【０１１８】
次に、受付担当者が、患者に保険証の提示を求め、提示された保険証の情報を受付画像６０の領域６２に入力し、当該保険証を元に診察券情報を作成して受付画像６０の領域６１に入力し、通常診察ボタン６４を押下する（Ｓ７０６）。なお、緊急ボタン６３が押下された場合には、制御装置４０は、後述するステップＳ７１０以降の処理を実行する。
【０１１９】
次に、制御装置４０は、記憶部４３内に新たにレコードを作成し、作成したレコードに、携帯電話端末２０から通知された端末識別情報、領域６１に記載された診察券情報、および領域６２に記載された保険証情報を格納する（Ｓ７０７）。そして、制御装置４０は、領域６１に記載された診察券情報および領域６２に記載された保険証情報と共に、書込要求をリーダライタ３０を介して携帯電話端末２０へ送信し（Ｓ７０９）、リーダライタ３０に中継終了を指示する（Ｓ７１０）。携帯電話端末２０は、リーダライタ３０を介して制御装置４０から受け取った診察券情報および保険証情報を記憶部２０５に格納する（Ｓ７１０）。制御装置４０は、電子カルテの雛形を患者ＩＤと共に診療端末５０へ送信する（Ｓ７１１）。
【０１２０】
次に、医師１７の診察によって電子カルテが作成され、診療端末５０は、作成された電子カルテを制御装置４０へ送る（Ｓ７１２）。制御装置４０は、受け取った電子カルテをＤＢサーバ１６に登録し（Ｓ７１３）、当該電子カルテのアクセス先を示す電子カルテ情報を作成し（Ｓ７１４）、作成した電子カルテ情報を、記憶部４３内に格納する（Ｓ７１５）。
【０１２１】
会計時等に、患者は、自身の携帯電話端末２０を再びリーダライタ３０の近くに置くと、携帯電話端末２０、リーダライタ３０、および制御装置４０は、ステップＳ７００からＳ７０４までの処理を実行する。そして、制御装置４０は、携帯電話端末２０から取得した端末識別情報が記憶部４３内に格納されていることを検出し、当該端末識別情報に対応付けられている電子カルテ情報を記憶部４３から抽出し、抽出した電子カルテ情報と共に、書込要求をリーダライタ３０を介して携帯電話端末２０へ送信する（Ｓ７１６）。
【０１２２】
携帯電話端末２０は、リーダライタ３０を介して受け取った電子カルテ情報を記憶部２０５に格納する（Ｓ７１７）。制御装置４０は、リーダライタ３０に中継終了を指示し（Ｓ７１８）、記憶部４３から当該携帯電話端末２０の端末識別情報を削除する（Ｓ７１９）。
【０１２３】
図１６は、患者が再診する場合の診療システム１０の処理の流れの一例を示すシーケンス図である。
【０１２４】
まず、携帯電話端末２０、リーダライタ３０、および制御装置４０は、図１５で説明したステップＳ７００からＳ７０４までの処理を実行する。そして、受付担当者が、患者に保険証の提示を求め、提示された保険証の情報を受付画像６０の領域６２に入力し、通常診察ボタン６４を押下する（Ｓ７２０）。なお、緊急ボタン６３が押下された場合、または、電子カルテ情報、診察券情報、および保険証情報を全て携帯電話端末２０から取得した場合には、制御装置４０は、後述するステップＳ７２５以降の処理を実行する。
【０１２５】
次に、制御装置４０は、携帯電話端末２０から取得した診察券情報を含むレコードを記憶部４３内で特定し、特定したレコードに、携帯電話端末２０から通知された端末識別情報、および、領域６２に記載された保険証情報を格納する（Ｓ７２１）。そして、制御装置４０は、領域６２に記載された保険証情報と共に、書込要求をリーダライタ３０を介して携帯電話端末２０へ送信し（Ｓ７２２）、リーダライタ３０に中継終了を指示する（Ｓ７２３）。携帯電話端末２０は、リーダライタ３０を介して制御装置４０から受け取った保険証情報を記憶部２０５に格納する（Ｓ７２４）。
【０１２６】
次に、制御装置４０は、携帯電話端末２０から取得した電子カルテ情報に基づいてＤＢサーバ１６にアクセスし（Ｓ７２５）、ＤＢサーバ１６から電子カルテを取得する（Ｓ７２６）。そして、制御装置４０は、取得した電子カルテを、患者ＩＤと共に診療端末５０へ転送する（Ｓ７２７）。それ以降の処理については、図１５に示したステップＳ７１２からＳ７１９と同様であるため、説明を省略する。
【０１２７】
図１７は、患者が転院する場合の診療システム１０の処理の流れの一例を示すシーケンス図である。
【０１２８】
まず、携帯電話端末２０、リーダライタ３０、および制御装置４０は、図１５で説明したステップＳ７００からＳ７０４までの処理を実行する。そして、受付担当者が、患者に保険証の提示を求め、提示された保険証の情報を受付画像６０の領域６２に入力し、当該保険証を元に診察券情報を作成して受付画像６０の領域６１に入力し、通常診察ボタン６４を押下する（Ｓ７３０）。なお、緊急ボタン６３が押下された場合には、制御装置４０は、後述するステップＳ７３５以降の処理を実行する。
【０１２９】
次に、制御装置４０は、記憶部４３内に新たにレコードを作成し、作成したレコードに、携帯電話端末２０から通知された端末識別情報、領域６１に記載された診察券情報、および領域６２に記載された保険証情報を格納する（Ｓ７３１）。そして、制御装置４０は、領域６１に入力された診察券情報および領域６２に記載された保険証情報と共に、書込要求をリーダライタ３０を介して携帯電話端末２０へ送信し（Ｓ７３２）、リーダライタ３０に中継終了を指示する（Ｓ７３３）。携帯電話端末２０は、リーダライタ３０を介して制御装置４０から受け取った診察券情報および保険証情報を記憶部２０５に格納する（Ｓ７３４）。
【０１３０】
次に、制御装置４０は、携帯電話端末２０から取得した電子カルテ情報に基づいてＤＢサーバ１６にアクセスし（Ｓ７３５）、ＤＢサーバ１６から電子カルテを取得する（Ｓ７３６）。そして、制御装置４０は、取得した電子カルテを、患者ＩＤと共に診療端末５０へ転送する（Ｓ７３７）。それ以降の処理については、図１５に示したステップＳ７１２からＳ７１９と同様であるため、説明を省略する。
【０１３１】
以上、本発明の実施の形態について説明した。
【０１３２】
上記説明から明らかなように、本実施形態の診療システム１０によれば、携帯電話端末２０を所有者が操作することなしに携帯電話端末２０の所有者の電子カルテを参照することができる。
【０１３３】
なお、本発明は、上記した実施形態に限定されるものではなく、その要旨の範囲内で数々の変形が可能である。
【０１３４】
例えば、上記した実施形態では、各医療機関で作成された電子カルテは、ネットワーク上のＤＢサーバ１６に登録されたが、本発明はこれに限られない。例えば、各医療機関で作成された電子カルテは、診察を行った各医療機関が、その診察時までの診察内容が記載された電子カルテ本体を、所有する制御装置４０内に格納し、当該制御装置４０を外部からアクセス可能とすると共に、当該電子カルテ本体へのアクセス先を電子カルテ情報として携帯電話端末２０に保存するようにしてもよい。
【０１３５】
これにより、患者が複数の医療機関で診察を受けた場合に、患者の電子カルテのデータが複数の医療機関に分散されて保存されるため、患者の電子カルテのデータが全て失われる危険性を低く抑えることができる。
【０１３６】
また、上記した実施形態では、携帯機器として携帯電話端末２０を一例に説明したが、本発明はこれに限られず、通信機能を持つ携帯可能な電子機器であれば、携帯音楽プレーヤや携帯ゲーム機等であってもよい。
【０１３７】
また、上記した実施形態では、近距離通信としてＲＦＩＤシステムにおいて用いられる無線通信方式を一例に説明したが、本発明はこれに限られず、近距離無線通信方式であれば、Ｂｌｕｅｔｏｏｔｈや無線ＬＡＮ等であってもよく、近距離通信であれば、ＵＳＢ（Universal Serial Bus）やＩＥＥＥ１３９４等であってもよい。
【０１３８】
また、上記した実施形態では、携帯電話端末２０内に端末識別情報、診察券情報、保険証情報、および電子カルテ情報を格納するが、さらに、所有者の属性を表わし、携帯することが好ましい情報（運転免許証やパスポート、社員証等の情報）を携帯電話端末２０内に格納して、所有者の操作なしに必要なときに参照できるようにしてもよい。近年、時計や財布などよりも携帯している可能性が高くなっている携帯電話端末２０にこれらの情報を格納することにより、これらの情報を確実に携帯し、必要なときに簡単に参照することができる。
【符号の説明】
【０１３９】
１０・・・診療システム、１１・・・プログラム配信サーバ、１２・・・保険証情報管理サーバ、１３・・・携帯電話網、１４・・・基地局、１５・・・インターネット、１６・・・ＤＢサーバ、１７・・・医師、２０・・・携帯電話端末、２００・・・アンテナ、２０１・・・無線通信部、２０２・・・プログラム取得部、２０３・・・プログラムインストール部、２０４・・・失効確認部、２０５・・・記憶部、２０６・・・情報提供部、２０７・・・認証部、２０８・・・情報更新部、２０９・・・近距離無線通信部、２１０・・・アンテナ、３０・・・リーダライタ、３１・・・アンテナ、３２・・・サービスＩＤ送信指示部、３３・・・近距離無線通信部、３４・・・認証部、３５・・・中継部、４０・・・制御装置、４１・・・診察終了判定部、４２・・・表示画面作成部、４３・・・記憶部、４４・・・登録部、４５・・・電子カルテ中継部、４６・・・電子カルテ情報送信部、５０・・・診療端末、５１・・・電子カルテ表示部、５２・・・電子カルテ編集部、５３・・・電子カルテ送信部、６０・・・受付画像、６１・・・診察券情報表示領域、６２・・・保険証情報表示領域、６３・・・緊急ボタン、６４・・・通常診察ボタン
【図１】
2011186580.tif 000003
【図２】
2011186580.tif 000004
【図３】
2011186580.tif 000005
【図４】
2011186580.tif 000006
【図５】
2011186580.tif 000007
【図６】
2011186580.tif 000008
【図７】
2011186580.tif 000009
【図８】
2011186580.tif 000010
【図９】
2011186580.tif 000011
【図１０】
2011186580.tif 000012
【図１１】
2011186580.tif 000013
【図１２】
2011186580.tif 000014
【図１３】
2011186580.tif 000015
【図１４】
2011186580.tif 000016
【図１５】
2011186580.tif 000017
【図１６】
2011186580.tif 000018
【図１７】
2011186580.tif 000019